(57)【要約】【課題】  従来の内窓は増設窓枠９必要とするため、室内に窓枠が飛び出し室内が狭くなる、戸車付ガラス窓のため遮断効果、断熱効果、保温効果、防音効果が十分得にくい、ガラスが割れて室内に散乱するという安全上の問題があった。【解決手段】  薄型内窓を直接本窓に密着設置することで飛び出し量を少量にして増設窓枠９無しとする、窓本体窓枠一体型１、ガイド溝２構造にして薄型内窓とする、さらにスライド寸法調整３により密閉、遮断、防音を高め、樹脂系窓とすることにより断熱効果、保温効果を高め、破損時の安全を確保する【選択図】図１
2015052258.tif 000002
【特許請求の範囲】
【請求項１】
窓枠窓本体一体型窓とガイド溝構造でなる薄い内窓で本窓枠に寸法を合わせ直接密着、本窓枠または本窓枠部材にそのまま設置できる熱伝導率の低い材質の薄型内窓
【請求項２】
窓枠窓本体一体型窓とガイド溝構造の両者で薄さと気密性を確保したことを特徴とした熱伝導率の低い樹脂系の薄型内窓
【請求項３】
窓枠寸法合わせには凹凸を設けてスライド可能とした取り付け枠を用い、凹凸スライドによる空洞部には充填用部材を挿入して取り付け枠を本窓の窓巾、高さに調節する、凹凸スライド寸法調整取り付け枠を本窓枠に寸法を合わせ密着し、本窓枠、本窓枠部材を使って直接密着設置する薄型内窓
【請求項４】
回転爪、再接着可能両面テープ、両面接着テープ、接着剤によりワンタッチで本窓の窓枠、窓内側面に直接または本窓枠部材にネジを含む固着材で付着設置できる薄型内窓
【発明の詳細な説明】
【技術的分野】
【０００１】  本発明は、レール用窓枠９の増設工事を行わずに、窓枠窓本体一体型窓１とガイド溝構造２とで構成する薄型内窓で、本窓１０１に直接取り付け、窓巾、高さに合わせて凹凸スライド寸法調整３して、回転爪４、再接着可能両面テープ５、両面接着テープ６、接着剤７でワンタッチに窓枠、又は本窓内側面、窓枠部材にネジビス１０で設置が容易に行える薄い構造の内窓に関するものである。
【背景技術】
【０００２】  従来、内窓は増設窓枠９というレールを乗せる、内窓を支える別窓枠を増設して内窓が取り付けられていた、こうすると、室内に増設窓枠９部材が飛び出し室内空間が狭くなるという問題があった。【０００３】  従来の内窓が厚くなる理由は窓枠、窓本体が別体で戸車とレールを使っているため厚い構造となっていた。【０００４】  また従来の内窓はレール構造のため、下枠にはレール、窓には戸車があり、レールに乗って窓の戸車が動くため、レールとレール溝間に隙間が生じて気密性が悪くなっていた。【０００５】  従来の内窓の素材は一般的にガラス素材で窓面が作られているのが通常であり、断熱効果が下がり、室内が冬には冷気、夏には熱気が伝導するなど、思うほど省エネ効果が得られないことがあった。【０００６】  外側の本窓が人、物の衝突、風圧、爆発で破損、飛散した場合、従来の内窓では内窓ガラスも破損飛散し、室内にガラス破片が飛び散る危険があった、また内部から人、物が当って、内窓が破損する危険性もあった。
【発明の概要】
【発明が解決しようとする課題】
【０００７】  従来内窓の増設窓枠９というレールを載せて内窓を支える枠部材が窓枠から飛び出し室内空間を圧迫する、人や物が当たって損傷する、室内レイアウトの変更が必要になるなどの問題があった。【０００８】  従来の内窓はレール構造のため枠の下面にはレール、窓下側には戸車とレール溝があり、レールと戸車２個の２点接触であるためレール溝に隙間が生じ、冷気、騒音またゴミ、粉塵が侵入する問題があった。【０００９】  内窓は素材も一般的にガラス素材のため、断熱性が低く、冷気、熱気が室内に接触伝導しやすいという問題があった。【００１０】  外部からの人、物の衝突、風圧、爆発によって外側の本窓が破損した場合、内窓のガラスも同時に破損して、室内の人や物を傷つけることがあった、内部からも人、物が当って内窓を破損する危険もあった。
【課題を解決するための手段】
【００１１】  今発明の薄型内窓ではガイド溝２構造のため、一つの溝構造が厚さ約７ミリメートルで、引違い戸では二つの溝構造で約１４ミリメートル厚さとなり、最大３０ミリメートルに収まり、窓から飛び出す厚さ３０ミリメートルで直接本窓枠、内面、又は本窓枠部材に設置できて、増設窓枠９は不要で、室内空間を狭くすることも、増設窓枠９で人や物が衝突し負傷することも、レイアウト変更の必要もない。【００１２】  薄型内窓ではガイド溝２構造としたため、溝と窓の下側が線で接触し、内窓外と内窓内を線接触で気密遮断する、上側も線又は面で遮断する、したがって冷気、熱気、騒音、ゴミ、粉塵の侵入はほとんどない。【００１３】  内窓そのものの材質は熱伝導性の低い樹脂系材質であるため、さらに窓枠本体一体型窓１であるため気密性も高く、冷気、熱気の遮断、伝導冷気、熱気の侵入を防いで断熱している。【００１４】  凹凸スライド寸法調整３取り付け枠は本窓寸法に確実にフィットしスライドによる空洞部には充填部材８を挿入して、隙間からの冷気、熱気、騒音、ゴミ、粉塵の侵入を防ぐ、また工事の容易さを確保し、前準備を可能にし、取り付け工事時間の短縮を可能にする【００１５】  取り付け枠ワンタッチ取り付けは回転爪４、再接着可能両面テープ５、両面接着テープ６、接着剤７、ネジビス１０を使用して、現地にて、事前に調整したものをその場の状況に合わせて効率よく確実に短時間で取り付けすることを可能にするものである【００１６】  外側の本窓ガラスが人、物の衝突、風圧、爆発で破損した場合、この薄型内窓では熱伝導の低い、粘り気のある樹脂系物質よりなる窓のため、破損せずガラス破片の室内への侵入を防ぐことができ、また、室内からの人、物の衝突でも内窓破損が発生せず安全が確保できる。
【発明の効果】
【０００１７】  薄型内窓は厚さ３０ｍｍで設置できるため、突起物が室内空間を狭めることなく、カーテン等もそのまま使用できるため、突起物によるレイアウトの変更なく、取り付けが可能で非常に簡単、便利である、また突起物に衝突して負傷することもなく安全である。【００１８】  薄型内窓の窓枠本体一体窓１とガイド溝２構造による遮断性と樹脂系内窓の断熱効果により、高い遮断、断熱が得られる、例えば風呂の窓１３００ｍｍ幅×７００ｍｍ高さに内窓を設置した場合、外気温０℃条件、風呂湯温４３℃で入れて１時間経過後内窓付きでは４１℃に保たれており、体を洗浄する洗い場も寒くない、一方薄型内窓なしでは風呂湯温３８℃に低下、洗い場も寒い。【００１９】  事前準備による凹凸スライド寸法調整３取り付枠で工事が、容易になり、品質の安定につながり、確実に短時間で効率よく安定した品質で設置作業を可能となる。【００２０】  回転爪４、再接着可能両面テープ５、両面接着テープ６、接着剤７によるワンタッチ取り付けはさらに工事を容易にし、取り付けの効率アップを図ることができる、回転爪４、再接着可能両面テープ５では再取り外しを可能とし、利便性を増し、一般的ネジビス１０による取り付けも可能である。【００２１】  この内窓を設置すると、騒音に関しても、屋外騒音低減、雨降り時雨音が低減され、各種騒音が低減され、静粛性により室内環境の改善が可能となる。【００２２】  外部より、人、物の衝突、風圧、爆発により本窓が破損してガラスが飛散しても、この薄型内窓の樹脂系粘りにより室内への破損ガラスの飛散侵入を防ぐ、また室内からの人、物の衝突による窓破損も防ぐこともできる。【００２３】  省エネルギーに関しては、エアーコンの運転は弱運転になることが多く、冬季は霜取り回数の減少が確認される、冬季の冷気を断熱、遮断はもちろん、夏季でも熱気を断熱、遮断し冷房効果をアップする効果がある、エアーコンをかける場合は冬季、夏季とも内窓を閉めておくと、電力低減に寄与する。【００２４】  より少ないエネルギーで保温効果、防音効果、窓破損防止により、適温、静粛に保たれ快適、安全環境となる。
【図面の簡単な説明】
【００２５】
【図１】は薄型内窓の鳥瞰図
【図２】は薄型内窓のＡ−Ａ′断面平面図
【図３】は薄型内窓の正面図
【図４】は薄型内窓の側面図
【図５】は凹凸スライド寸法調整の平面図
【図６】は凹凸スライド寸法調整の正面図
【図７】は凹凸スライド寸法調整の側面図
【図８】は凹凸スライド寸法調整空洞部充填用部材の平面図
【図９】は凹凸スライド寸法調整空洞部充填用部材の正面図
【図１０】は凹凸スライド寸法調整空洞部充填用部材の側面図
【図１１】は回転爪の正面図
【図１２】は再接着可能両面テープ、両面接着テープの正面図
【図１３】は接着剤塗付の正面図
【図１４】はネジビス止めのＢ−Ｂ′断面平面図
【図１５】はネジビス止めの正面図
【発明を実施するための形態】
【００２６】  図１で説明、本窓１０１の窓枠、内面、窓枠部材に直接薄型内窓を回転爪４、再接着可能両面テープ５、両面接着テープ６、接着剤７、ネジビスで取り付ける、厚さ３０ミリメートルの薄型内窓に関するものである。
【００２７】  薄型内窓は窓枠窓本体一体型窓１とガイド溝２で薄い構造とし、内窓用増設枠９を必要としない。
【００２８】  凹凸スライド寸法調整３で本窓のサイズにぴったり合わせて密閉設置でき、その効果は、室内空間を確保しながら、断熱、遮断、保温効果に加えて、ガラス破損からの安全確保である。
【符号の説明】
【００２９】      １  窓、窓枠一体型窓
２  ガイド溝
３  凹凸スライド寸法調整
４  回転爪
５  再接着可能両面テープ
６  両面接着テープ
７  接着剤
８  空洞部充填部材
９  増設窓枠
１０  ネジビス
１０１  本窓
【図１】
2015052258.tif 000003
【図２】
2015052258.tif 000004
【図３】
2015052258.tif 000005
【図４】
2015052258.tif 000006
【図５】
2015052258.tif 000007
【図６】
2015052258.tif 000008
【図７】
2015052258.tif 000009
【図８】
2015052258.tif 000010
【図９】
2015052258.tif 000011
【図１０】
2015052258.tif 000012
【図１１】
2015052258.tif 000013
【図１２】
2015052258.tif 000014
【図１３】
2015052258.tif 000015
【図１４】
2015052258.tif 000016
【図１５】
2015052258.tif 000017